(57)【要約】【課題】逮捕術等の模擬的な武具として、耐久性と安全性とを両立すること。【解決手段】片手で把持される柄１１と、柄１１の一端部に連続する打突部２０とを一体に有する闘技用模擬武具１０である。打突部２０は、柄に設けられた有底のスリーブ（１１、１２）に基端側が摺動自在に装着されるとともに、少なくとも闘技の稽古や試合に要請される剛性と可撓性とを具備する芯材１４と、芯材１４の柄１１に対する相対的な変位を許容した状態で芯材１４を柄１１と一体的に連結するとともに、打撃による衝撃を吸収するように芯材を被覆する弾性外装材（１５、１６）と、芯材１４をスリーブ（１１、１２）から突出する方向に付勢する弾性部材１７とを備えている。【選択図】図３
2010259768.tif 000002
【特許請求の範囲】
【請求項１】
片手で把持される柄と、前記柄の一端部に連続する打突部とを一体に有する闘技用模擬武具であって、
前記打突部は、
前記柄に設けられた有底のスリーブに基端側が摺動自在に装着されるとともに、所要の剛性と可撓性とを具備する芯材と、
前記芯材の前記柄に対する相対的な変位を許容した状態で前記芯材を前記柄と一体的に連結するとともに、打撃による衝撃を吸収するように前記芯材を被覆する弾性外装材と、
前記芯材をスリーブから突出する方向に付勢する弾性部材と
を備えていることを特徴とする闘技用模擬武具。
【請求項２】
請求項１記載の闘技用模擬武具において、
前記弾性部材は、前記スリーブの底と前記芯材との間に介装される弾性体である
ことを特徴とする闘技用模擬武具。
【請求項３】
請求項２記載の闘技用模擬武具において、
前記弾性体は、コイルスプリングである
ことを特徴とする闘技用模擬武具。
【請求項４】
請求項１から３の何れか１項に記載の闘技用模擬武具において、
前記柄は、前記スリーブとしての樹脂製のパイプの底を構成する樹脂製品である
ことを特徴とする闘技用模擬武具。
【請求項５】
片手で把持される柄と、前記柄の一端部に連続する打突部とを一体に有する闘技用模擬武具であって、
前記打突部は、所要の剛性と可撓性とを具備する芯材と、
前記芯材を前記柄と一体的に連結するとともに、打撃による衝撃を吸収するように前記芯材を被覆する弾性外装材と
を備えていることを特徴とする闘技用模擬武具。
【請求項６】
請求項１から５の何れか１項に記載の闘技用模擬武具において、
前記芯材は、熱可塑性樹脂である
ことを特徴とする闘技用模擬武具。
【請求項７】
請求項１から６の何れか１項に記載の闘技用模擬武具において、
前記弾性外装材は、前記芯材を全周にわたって被覆するスリーブ状のスポンジパイプと、前記スポンジパイプの先端部に固着されるゴム製のキャップとを備えている
ことを特徴とする闘技用模擬武具。 
【発明の詳細な説明】
【技術分野】
【０００１】
本発明は、闘技用模擬武具に関する。
【背景技術】
【０００２】
護身術、逮捕術、古武道、格闘技等（総称する場合には「闘技」ともいう）の稽古や試合には、模擬的な武具が必要になる。闘技の稽古や試合では、相当の力を込めて相手を真剣に打突することを要する。そのため、子供用の玩具では、安全性の確保を図ることはできるものの、実践的ではない。実際に使用されてきた模擬的な武具、とりわけ打突攻撃に実用的なものは、安土桃山時代に考案された袋竹刀や、江戸時代になって考案された（割）竹刀である。特に竹刀は、今日に至るまで広く使用されている模擬刀である。
【０００３】
竹刀は、環状に組み付けられる複数本の割竹を本体としている。本体には、ゴムなどの衝突防止用の内芯が挿入される。本体と内芯とは、本体の先端を被覆する袋状の先革と、本体の基端を被覆する袋状の柄革とで一体的に組み付けられる。通常、先革と柄革とは、弦で連結される。さらに柄革の先端から鍔が嵌装され、本体を柄部分と刃部分とに区分ける。
【０００４】
因みに、竹刀に関しては、例えば、特許文献１〜６に記載されたものが知られている。
【先行技術文献】
【特許文献】
【０００５】
【特許文献１】登録実用新案第３０３０２７０号公報
【特許文献２】特開平０９−０１０３７１号公報
【特許文献３】特開２００３−３０５１４７号公報
【特許文献４】特開２００４−２４９０６５号公報
【特許文献５】特開２００５−３０５０８２号公報
【特許文献６】特開２００６−１０９９０８号公報
【発明の概要】
【発明が解決しようとする課題】
【０００６】
しかしながら、竹刀で全ての闘技の稽古や試合に対応することは容易ではない。
【０００７】
例えば、逮捕術の稽古や試合では、相当な力を込めて様々な角度から相手を真剣に打突するため、竹刀の弦が切れやすい。また、割竹がささくれて、けがの原因にもなる。しかも、比較的短尺の竹刀を用いることを要するため、相対的に竹刀の剛性が高くなり、竹刀自身が受ける衝撃も、人体に与える衝撃も大きくなる。かかる不具合を防止するためには、竹刀の割竹の枚数を増やせばよいが、その場合には、組み付けが困難になる。
【０００８】
本発明は、上記課題に鑑みてなされたものであり、高い耐久性と安全性とを両立することのできる闘技用模擬武具を提供することを課題としている。
【課題を解決するための手段】
【０００９】
上記課題を解決するために、本発明は、片手で把持される柄と、前記柄の一端部に連続する打突部とを一体に有する闘技用模擬武具であって、前記打突部は、前記柄に設けられた有底のスリーブに基端側が摺動自在に装着されるとともに、所要の剛性と可撓性とを具備する芯材と、前記芯材の前記柄に対する相対的な変位を許容した状態で前記芯材を前記柄と一体的に連結するとともに、打撃による衝撃を吸収するように前記芯材を被覆する弾性外装材と、前記芯材をスリーブから突出する方向に付勢する弾性部材とを備えていることを特徴とする闘技用模擬武具である。この態様では、闘技の稽古や試合に際し、闘技用模擬武具の柄を片手で把持し、相手を打突部で打突する。打突部が相手に打ち込まれても、芯材が所定の可撓性を有し、且つ芯材を被覆する弾性外装材が衝撃を吸収するので、竹刀と同等、或いは、それ以上の耐久性と安全性とを確保することができる。特に、突き技が用いられた場合でも、打突部の先端が弾性部材の付勢力に抗して衝撃を吸収しながら柄側に縮むので、竹刀よりも遙かに高い衝撃吸収性能を発揮し、耐久性と安全性とを両立することができる。
【００１０】
好ましい態様において、前記弾性部材は、前記スリーブの底と前記芯材との間に介装される弾性体である。
【００１１】
好ましい態様において、前記弾性体は、コイルスプリングである。
【００１２】
好ましい態様において、前記柄は、前記スリーブとしての樹脂製のパイプの底を構成する樹脂製品である。
【００１３】
本発明の別の態様は、片手で把持される柄と、前記柄の一端部に連続する打突部とを一体に有する闘技用模擬武具であって、前記打突部は、所要の剛性と可撓性とを具備する芯材と、前記芯材を前記柄と一体的に連結するとともに、打撃による衝撃を吸収するように前記芯材を被覆する弾性外装材とを備えていることを特徴とする闘技用模擬武具である。この態様においても、闘技の稽古や試合に際し、闘技用模擬武具の打突部が相手に打ち込まれても、芯材が所定の可撓性を有し、且つ芯材を被覆する弾性外装材が衝撃を吸収するので、竹刀と同等、或いは、それ以上の耐久性と安全性とを確保することができる。
【００１４】
好ましい態様において、前記芯材は、熱可塑性樹脂である。
【００１５】
好ましい態様において、前記弾性外装材は、前記芯材を全周にわたって被覆するスリーブ状のスポンジパイプと、前記スポンジパイプの先端部に固着されるゴム製のキャップとを備えている。
【発明の効果】
【００１６】
以上説明したように、本発明によれば、所定の弾性を有する芯材と、この芯材を被覆する弾性外装材によって、高い衝撃吸収性を発揮し、もって耐久性と安全性とを両立することができるという顕著な効果を奏する。
【図面の簡単な説明】
【００１７】
【図１】本発明の実施の一形態に係る闘技用模擬武具の斜視図である。
【図２】図１の実施形態に係る闘技用模擬武具の分解斜視図である。
【図３】図１の実施形態に係る闘技用模擬武具断面図であり、（Ａ）は伸張時、（Ｂ）は縮長時を示す。
【図４】本発明の別の実施形態に係る闘技用模擬武具の斜視図である。
【図５】本発明の別の実施形態に係る闘技用模擬武具の分解斜視図である。
【図６】図５の実施形態に係る闘技用模擬武具の斜視図である。
【発明を実施するための形態】
【００１８】
以下、添付図面を参照しながら本発明の好ましい実施の形態について説明する。
【００１９】
図１及び図２を参照して、本実施形態に係る闘技用模擬武具１０は、柄１１と、柄１１に固着されたパイプ１２と、パイプ１２内に摺動自在に装着された芯材１４と、芯材の外周を被覆するスポンジパイプ１５及びキャップ１６と、芯材１４をパイプ１２から突出する方向に付勢する弾性部材としてのコイルスプリング１７とを備えている。このうち芯材１４のスポンジパイプ１５で被覆された部位が本実施形態において、打突部２０を構成している。
【００２０】
闘技用模擬武具１０は、護身術、逮捕術、古武道、格闘技等の稽古や試合に使用されることを想定した模擬的な武具であり、特に、逮捕術に好適なデザインに設定されている。本実施形態では、警棒を模したものであり、全長は、警棒の現在の規格に沿って、長さ６００ｍｍ以下（例えば、３５０ｍｍ）に設定されている。
【００２１】
柄１１は、熱可塑性樹脂であり、一端部が閉じた中空体である。柄１１の外周には、複数の周溝１１ａが形成されており、この周溝１１ａと、表面の仕上げ粗さとによって、滑り止めが図られている。柄１１の具体例としては、全長１３０ｍｍ、外径２９ｍｍ、内径１３ｍｍ、底部の厚み７ｍｍであることが好ましい。
【００２２】
パイプ１２は、本実施形態において、スリーブを構成する熱可塑性樹脂成型品である。図示の実施形態では、ボンドなどの接着剤でパイプ１２が有底の柄１１内に固着され、有底のスリーブを構成している。スリーブとしてのパイプ１２の先端は、僅かに柄１１から突出している。かかる突出部位は、後述するスポンジパイプ１５の固定に利用される。しかし、この構成は、あくまで一例であり、パイプ１２に直接スポンジパイプ１５が固定される必要はない。パイプ１２の具体例としては、全長１６５ｍｍ、外径１３ｍｍ、内径１０．５ｍｍであることが好適である。
【００２３】
芯材１４は、パイプ１２の内周に基端部が摺動自在に嵌装（装着）されている中実の熱可塑性樹脂製棒である。芯材１４は、闘技の稽古や試合に好適な硬さと可撓性とを具備しており、これによって、打突による耐久性と安全性とを確保している。芯材１４の具体例としては、全長１７５ｍｍ〜２２０ｍｍ、直径１０ｍｍであることが好適である。
【００２４】
スポンジパイプ１５は、芯材１４を被覆する中空部材であり、径方向及び軸方向に高い可撓性を有する多孔質樹脂成形品である。スポンジパイプ１５の具体例としては、例えば、自由状態における全長が１７０ｍｍ、外径が２０ｍｍ、内径が１０ｍｍであることが好適である。また、用途や材質に応じて、外径を例えば、２５ｍｍ程度に厚く設定してもよい。その場合、キャップ１６を挿入するために、先端のみ２０ｍｍに細くした二段形状に構成してもよい。図示の実施形態において、スポンジパイプ１５の基端側（柄１１側）部分には、パイプ１２が圧入されており、好ましくは、接着剤で固定される。
【００２５】
キャップ１６は、スポンジパイプ１５の先端部に固着された樹脂成型品である。キャップ１６の具体例としては、全長が２６ｍｍ、内径が１８．５ｍｍであり、好ましくは、先端側から基端側にかけて細くなるテーパ形状に形成される。キャップ１６の端壁（芯材１４の先端面と対向する部位）は、当該芯材１４の軸方向の衝撃に充分耐え得るような厚さに設定される。また、キャップ１６の先端壁を基端側に比べて大径にすることにより、受圧面を拡げて過度な衝撃を避けるようにしている。
【００２６】
本実施形態においては、スポンジパイプ１５及びキャップ１６が芯材１４の柄１１に対する相対的な変位を許容した状態で芯材１４を柄１１と一体的に連結するとともに、打撃による衝撃を吸収するように芯材１４を被覆する弾性外装材を構成している。
【００２７】
コイルスプリング１７は、芯材１４と柄１１の底部（従って、有底スリーブの底部）との間に介装された弾性部材の一例である。コイルスプリング１７の具体例としては、例えば、自由状態における全長が１１０ｍｍ、外径が９ｍｍ、線径が０．８ｍｍの金属製品であることが好適である。しかし、コイルスプリング１７は、これに限らず、空気、弾性樹脂等、パイプ１２と芯材１４との軸方向の相対変位を許容し、且つ芯材１４が柄側に変位する際、その押し込み荷重を吸収するのに充分な付勢力を有する弾性体であればよい。
【００２８】
上述した構成では、図１及び図３（Ａ）に示す自由状態においては、コイルスプリング１７が芯材１４をパイプ１２から突出する方向に付勢している結果、スポンジパイプ１５とキャップ１６とで構成される弾性外装材が許容する範囲内において、芯材１４は、パイプ１２から突出した状態になっている。
【００２９】
闘技の稽古や試合に際し、使用者は、闘技用模擬武具１０の柄１１を片手で把持し、相手を打突する。相手側が打突部２０で打撃されても、スポンジパイプ１５が衝撃を吸収し、さらに芯材１４が撓むことによって、過度なダメージを相手に与えることはない。この結果、竹刀と同等、或いは、それ以上の耐久性と安全性とを確保することができる。
【００３０】
さらに、使用者が闘技用模擬武具１０で突き技を用いても、打突時の軸方向の衝撃がコイルスプリング１７並びにスポンジパイプ１５の圧縮変形によって吸収され、相手に過度なダメージを与えるおそれがなくなる。図示の例では、図３（Ｂ）に示すように、衝撃吸収可能な変位量Ｌを例えば、打突部２０の１／３程度に設定している。従って、竹刀では、得られない安全性を確保することができる。
【００３１】
上述した実施の形態は、本発明の好ましい具体例を例示したものに過ぎず、本発明は上述した実施形態に限定されない。
【００３２】
例えば、図４に示すように、柄１１に芯材１４の基端部分を固着し、芯材１４の外周をスポンジパイプ１５とキャップ１６で被覆しただけのものであってもよい。
【００３３】
或いは、図５及び図６に示す袋３０を闘技用模擬武具１０に採用してもよい。
【００３４】
各図に示す袋３０は、有底筒状に縫製した本体３１と、本体３１の開口部分に形成される環状の帯通し部３２と、帯通し部３２に通された帯３３とを有している。
【００３５】
本体３１は、例えば、牛革、ビニール等の素材で形成されたものであり、闘技用模擬武具１０が自由状態にあるときの打突部２０全長と柄１１の一部を被覆する長さに設定されている有底筒状に形成されている。
【００３６】
帯通し部３２は、本体３１の開口部にわたって形成されたＣ字形の環状体であり、内部に帯３３を通す空間を本体の周方向に形成している。帯通し部３２は、本体３１を縫製する際、その一部に切り込み３２ａを入れ、折り返して縫い合わせることにより一体形成されることが好ましい。
【００３７】
帯３３は、本体３１と同様な皮革、またはビニール製のものであり、帯通し部３２の切り込み３２ａからその両端部を突出させている。帯３３は、袋３０の締付部材の一例であり、紐であってもよい。組付時において、帯３３は、適切に結ばれ、その余長部分は、図６に示したように本体３１の内部に収容される。
【００３８】
袋３０を採用した場合には、スポンジパイプ１５とキャップ１６との分離が一層確実に阻止される。また、本体３１が打突時の緩衝部材として機能し、打撃を受けた相手に過度な衝撃を与えるおそれがなくなる。
【００３９】
その他、本発明の特許請求の範囲内で種々の変更が可能であることはいうまでもない。
【符号の説明】
【００４０】
１０  闘技用模擬武具
１１  柄
１２  パイプ（スリーブの一例）
１４  芯材
１５  スポンジパイプ（弾性外装材の要部）
１６  キャップ（弾性外装材の要部）
１７  コイルスプリング（弾性部材の一例）
２０  打突部
３０  袋
３１  本体
３２  帯通し部
３３  帯（締付部材の一例）
【図１】
2010259768.tif 000003
【図２】
2010259768.tif 000004
【図３】
2010259768.tif 000005
【図４】
2010259768.tif 000006
【図５】
2010259768.tif 000007
【図６】
2010259768.tif 000008